(57)【要約】【課題】コストは現状を維持し、破棄するときは、おのおの別材料に容易に分離でき、材料リサイクルを可能とする２色成形部品を提供する。【解決手段】２色成形部品１は、箱形状をした樹脂部品２の底部分に、３箇所のエラストマー部分３ａ、３ｂ、３ｃを配置し、各エラストマー部分３の間を架橋部４ａ、４ｂで橋渡しして一体につなげて構成である。このような２色成形部品１を破棄する時は、３箇所のつながったエラストマー部分３ａ、３ｂ、３ｃを架橋部４ａ、４ｂでのつながりを利用して一緒に剥がす。エラストマー部分３ａ、３ｂ、３ｃを別々に剥がすのではなく、分離作業効率が向上する。【選択図】　　　　図１
2004050594.tif 000002
【特許請求の範囲】
【請求項１】
エラストマー部と樹脂材料部とを備え、上記エラストマー部を複数個所有し、各エラストマー部を全てつなげるとともに、該エラストマー部と上記樹脂材料部を分離可能に成形してなることを特徴とする２色成形部品。
【請求項２】
請求項１の２色成形部品において、上記複数のエラストマー部の少なくとも一部が異なった面に位置し、これらすべてをつなげて成形してなることを特徴とする２色成形部品。
【請求項３】
請求項１または２の２色成形部品において、上記つなげたエラストマー部に、剥ぎ取り操作のためのべろ部を設けてなることを特徴とする２色成形部品。
【請求項４】
請求項１ないし３のいずれかの２色成形部品において、上記複数のエラストマー部の少なくとも一部が発泡エラストマー部であることを特徴とする２色成形部品。
【請求項５】
請求項１ないし４のいずれかの２色成形部品における上記樹脂材料部に代えて金属材料部としてなることを特徴とする成形部品。
【発明の詳細な説明】
【０００１】
【発明の属する技術分野】
本発明は、１部品に樹脂材料部とエラストマー部を含む２色成形部品及び樹脂材料部とエラストマー部という異種素材からなる成形部品に関する。
【０００２】
【従来の技術及び発明が解決しようとする課題】
電気洗濯機やテレビ等のいわゆる家電４品目の機械、装置の破棄に破棄費用を徴収されるようになった。そこで設計面では、いかに簡単かつ短時間に機械、装置を分解できるようにすること、また材料面では、１部品１材料で構成することが望ましいと考えられるようになってきた。欧州ＢＡＭ規格やエコマークの審査基準等にも、同様の趣旨の項目が存在している。
【０００３】
ところが実際の製品材料としては、種々の観点から複合化された樹脂インサート（金属＋樹脂）や、樹脂にスポンジ等を貼り合わせた部品等が多く見うけられる。樹脂とスポンジの貼り合わせ部品、樹脂とゴムの貼り合わせ部品等は、２色成形をして単品部品と同様に扱える利点がある。このように複合化された部品をいまさら単品部品に作り変えることは、コストその他の観点から見合わないのが現状である。
【０００４】
昨今の環境対策としては、異なる部品を分解して破棄し、材料をリサイクルできるようにすることが望ましいとされるようになってきているが、上述のような２色成形部品においては、剥がれないような材料同士で成形することが一般的であるため、材料リサイクルが難しく、結局は破砕され、埋め立て等に利用されてしまっている。
【０００５】
本発明は、あえて分解できるような材料を選び、成形することで、環境対策を行えるかどうかについて検討し、コストは現状を維持し、破棄するときは、おのおの別材料に容易に分離でき、材料リサイクルを可能とする２色成形部品及び成形部品を提供することを目的とする。
【０００６】
【課題を解決するための手段】
本発明の請求項１に係る２色成形部品は、上記目的を達成するために、エラストマー部と樹脂材料部とを備え、上記エラストマー部を複数個所有し、各エラストマー部を全てつなげるとともに、該エラストマー部と上記樹脂材料部を分離可能に成形してなることを特徴とする。
【０００７】
同請求項２に係るものは、上記目的を達成するために、請求項１の２色成形部品において、上記複数のエラストマー部の少なくとも一部が異なった面に位置し、これらすべてをつなげて成形してなることを特徴とする。
【０００８】
同請求項３に係るものは、上記目的を達成するために、請求項１または２の２色成形部品において、上記つなげたエラストマー部に、剥ぎ取り操作のためのべろ部を設けてなることを特徴とする。
【０００９】
同請求項４に係るものは、上記目的を達成するために、請求項１ないし３のいずれかの２色成形部品において、上記複数のエラストマー部の少なくとも一部が発泡エラストマー部であることを特徴とする。
【００１０】
同請求項５に係るものは、上記目的を達成するために、請求項１ないし４のいずれかの２色成形部品において、上記樹脂材料部に代えて金属材料部としてなることを特徴とする。
【００１１】
【発明の実施の形態】
以下本発明の実施の形態を図面を参照して説明する。なお以下の説明では、エラストマー材と樹脂材とからなる例のみを図示、説明するが、本発明はこれに限定されず、他の材料からなる部品をも含む。
【００１２】
図１は、本発明に係る２色成形部品の一実施形態を示す斜視図であり、本図は、同じ平面にエラストマー部を配置した例を示す。
【００１３】
本実施形態の２色成形部品１は、箱形状をした樹脂部品２の底部分に、３箇所のエラストマー部分３ａ、３ｂ、３ｃを配置し、各エラストマー部分３の間を架橋部４ａ、４ｂで橋渡しして一体につなげた構成としてある。このため、本実施形態の２色成形部品１を破棄する時は、３箇所のエラストマー部分３ａ、３ｂ、３ｃを別々に剥がすのではなく、つながったエラストマー部分３ａ、３ｂ、３ｃを架橋部４ａ、４ｂでのつながりを利用して一緒に剥がすことができ、分離作業効率が向上する。
【００１４】
図２は、本発明に係る２色成形部品の他の実施形態を示す斜視図であり、本図は、異なる平面にエラストマー部を配置した例を示す。
【００１５】
本実施形態の２色成形部品１０は、箱形状をした樹脂部品１１の表面と裏面それぞれにエラストマー部分１２ａ、１２ｂを配置して架橋部１３でつないだ構成となっている。また裏面側のエラストマー部分１２ｂには、剥ぎ取り作業をやりやすくするためのつば部分１４が設けてある。
【００１６】
例えばダクト等の連結部分に使用される部品で、入口と出口に気密性が要求される部品があるが、そのような部品では、人手を掛けずに安価に部品を作成でき、部品破棄のときは容易に構成材料ごとに分離して材料リサイクルするのが環境に対し有効な手段である。したがって本実施形態の２色成形部品のようなエラストマーを使用したものを用いれば、違う面にそれぞれエラストマー部分１２ａ、１２ｂが配置されていても、剥がす時は架橋部１３を利用して１工程で剥がせるため、作業効率の向上を図れる。剥ぎ取り作業はつば部分１４を引っ張るだけで済むので、分離は非常に容易である。
【００１７】
なお図示は省略するが、上述した各実施形態においてエラストマー部分の少なくとも一部を発泡タイプにすれば、相手部品によりフィットし、気密性等を向上させ得る。また樹脂部分２、１１を金属材料に置き換え、普通の金属アウトサート部品のように成形できる。
【００１８】
【実施例】
次に上述した本発明に係る２色成形部品の材料や成形方法を詳細に説明する。図３は、現在広く使用されているエラストマーと樹脂材料の同じ成形した場合の相性を示す。両材料を良好に固着できる組み合わせは、図中○印のものである。図中の△、×の部分は、使用されていない。しかしながら、材料を分解するには、分離可能でなければならず、本発明の実施には×印の組み合わせが好ましい。また、△印の組み合わせに関しては、製造者によって固着性が異なるため、本発明の実施に使用可能な組み合わせもあり得る。もちろん○印の組み合わせに関しては、成形条件を変えることでくっつかないようにすることも可能である（例えば、推奨成形温度１８０℃のところを、１６０℃で成形する等々）。すなわち本発明の実施には、全ての組み合わせで樹脂材料、エラストマー材料がくっつかない様に成形することが可能である。図４は、エラストマーの材料別特性と用途を示す。
【００１９】
【発明の効果】
請求項１に係る２色成形部品は、以上説明してきたように、複数個所のエラストマー部を全てつなげるとともに、エラストマー部と樹脂材料部を分離可能に成形してなるので、数箇所のエラストマー部を１箇所ずつ剥ぎ取るのではなく、一動作で全てのエラストマー部を剥ぎ取れるので、分解する時の効率が向上するという効果がある。
【００２０】
請求項２に係る２色成形部品は、以上説明してきたように、複数のエラストマー部の少なくとも一部が異なった面に位置し、これらすべてをつなげて成形してなるので、複数の面に位置するエラストマー部を同時に剥ぎ取ることができ、分解する時の効率が向上するという効果がある。
【００２１】
請求項３に係る２色成形部品は、以上説明してきたように、エラストマー部を剥ぎ取る操作のためのべろ部を設けてなるので、上記共通の効果に加え、指でつかんで作業がしやすく、分解作業の効率がさらに向上するという効果がある。
【００２２】
請求項４に係る２色成形部品は、以上説明してきたように、複数のエラストマー部の少なくとも一部が発泡エラストマー部である構成としたので、上記共通の効果に加え、より柔らかい発泡タイプのエラストマー部が相手部材の形状にフィットしやすく２色部品として好ましいものになるという効果がある。
【００２３】
請求項５に係る成形部品は、以上説明してきたように、樹脂材料部に代えて金属材料部を用い、金属材料とエラストマーのアウトサート部品においても同様な構成とすることで、分離、分解作業を効率良くできるという効果がある。
【図面の簡単な説明】
【図１】本発明に係る２色成形部品の一実施形態を示す斜視図である。
【図２】本発明に係る２色成形部品の他の実施形態を示す斜視図である。
【図３】広く使用されているエラストマーと樹脂材料の同じ成形した場合の相性を示す図である。
【図４】エラストマーの材料別特性と用途を示す図である。
【符号の説明】
１　２色成形部品
２　樹脂部品
３ａ、３ｂ、３ｃ　エラストマー部分
４ａ、４ｂ　架橋部
１０　２色成形部品
１１　樹脂部品
１２ａ、１２ｂ　エラストマー部分
１３　架橋部
１４　つば部分
【図１】
2004050594.tif 000003
【図２】
2004050594.tif 000004
【図３】
2004050594.tif 000005
【図４】
2004050594.tif 000006